(57)【要約】【課題】レリーズボタンが一気押しされたときは、実用的なピント状態を得ながら露光開始までの時間が短い自動焦点調節装置を備えたカメラを得る。【解決手段】メインミラー及び撮影レンズの絞りを絞り込む絞り機構を備え、レリーズボタンの半押しで自動焦点調節装置が作動し、上記レリーズボタンの全押しで露光装置が作動する一眼レフカメラであって、上記レリーズボタンが半押しされたから上記自動焦点調節装置の作動画終了する前に全押しされたときは、上記レンズ駆動手段を駆動しているときはレンズ駆動手段の駆動、メインミラーのアップ及び撮影レンズの絞りの絞り込みが終了したときに上記露光装置を作動させ、レンズ駆動手段を駆動しないときはメインミラーのアップ及び撮影レンズの絞りの絞り込みが終了したときに上記露光装置を作動させる制御手段を備えた。【選択図】図５
2010197601.tif 000002
【特許請求の範囲】
【請求項１】
メインミラー及び撮影レンズの絞りを絞り込む絞り機構を備え、レリーズボタンの半押しで自動焦点調節装置が作動し、上記レリーズボタンの全押しで露光装置が作動する一眼レフカメラであって、
上記レリーズボタンが半押しされたから上記自動焦点調節装置の作動画終了する前に全押しされたときは、上記レンズ駆動手段を駆動しているときはレンズ駆動手段の駆動、メインミラーのアップ及び撮影レンズの絞りの絞り込みが終了したときに上記露光装置を作動させ、レンズ駆動手段を駆動しないときはメインミラーのアップ及び撮影レンズの絞りの絞り込みが終了したときに上記露光装置を作動させる制御手段を備えたことを特徴とする自動焦点調節装置を備えたカメラ。
【請求項２】
請求項１記載の自動焦点調節装置を備えたカメラにおいて、
上記自動焦点調節装置は、撮影レンズを介して得られる被写体像光によりデフォーカス量を求めるデフォーカス量測定手段と、そのデフォーカス量に基づいて撮影レンズの焦点調節レンズ群を合焦位置に移動させるレンズ駆動手段を含み、
上記制御手段は、上記レリーズボタンが半押しされたときは、上記デフォーカス量測定手段を作動させてデフォーカス量を求め、上記デフォーカス量が第１の所定範囲内の場合は上記レンズ駆動手段を作動させずにレリーズボタンが全押しされるのを待ち、上記デフォーカス量が第１の所定範囲を超えている場合は上記レンズ駆動手段を作動させ、上記焦点調節レンズ群を合焦位置に移動させてレリーズボタンが全押しされるのを待つ自動焦点調節装置を備えたカメラ。
【請求項３】
請求項２記載の自動焦点調節装置を備えたカメラにおいて、上記制御手段は、上記レリーズボタンが半押しされたときに求めたデフォーカス量が、第１の所定範囲を超え第２の所定範囲内の場合は上記レンズ駆動手段を作動させずにレリーズボタンが全押しされるのを待ち、第２の所定範囲を超えている場合は上記レンズ駆動手段を作動させて焦点調節レンズ群を合焦位置に移動させてからレリーズボタンが全押しされるのを待つこと、を特徴とする自動焦点調節装置を備えたカメラ。
【請求項４】
請求項１乃至３のいずれか一項記載の自動焦点調節装置を備えたカメラにおいて、上記制御手段は外部操作により選択可能な露光優先モードを含み、この露光優先モードが選択されたときに上記制御を実行する自動焦点調節装置を備えたカメラ。
【請求項５】
請求項２又は３のいずれか一項記載の自動焦点調節装置を備えたカメラにおいて、前記第１の所定範囲は焦点深度の１／２以内とし、前記第２の所定範囲は焦点深度とする自動焦点調節装置を備えたカメラ。
【発明の詳細な説明】
【技術分野】
【０００１】
本発明は、自動焦点調節装置を備えたカメラに係り、特にレリーズボタンが一気押しされてから露光するまでのタイムラグが短いカメラに関する。
【背景技術】
【０００２】
従来の自動焦点調節装置を備えたカメラは、レリーズボタンの半押しでＡＦ処理を開始し、レリーズボタンの全押しで露光（撮影）を実行している。レリーズボタンが一気に全押しされると、つまり、ＡＦ処理が開始される前又はＡＦ処理が終了する前にレリー釦が全押しされたときは、ＡＦ処理を実行して合焦してから露光するものと、露光開始までの時間を短縮するためにＡＦ処理をせずに、つまり合焦非合焦にかかわらず露光するものが知られている（特許文献１）。
【先行技術文献】
【特許文献】
【０００３】
【特許文献１】特開２００３−２７４２６７号公報
【発明の概要】
【発明が解決しようとする課題】
【０００４】
従来の、レリーズボタンが一気押しされたときに焦点調節レンズ群を固定ピント位置に移動するカメラでは、レンズ移動前位置の方がデフォーカス量が小さい場合があり、却ってピントずれが大きくなってしまうおそれがあった。一方、従来のレリーズ優先のカメラでは、ピントずれが大き過ぎて、撮影が無駄になってしまうおそれがあった。
【０００５】
かかる従来のデジタルカメラの問題に鑑みて本発明は、レリーズボタンが一気押しされたときは、実用的なピント状態を得ながら露光開始までの時間が短い自動焦点調節装置を備えたカメラを得ることを目的とする。
【課題を解決するための手段】
【０００６】
かかる従来の課題を解決する本発明は、メインミラー及び撮影レンズの絞りを絞り込む絞り機構を備え、レリーズボタンの半押しで自動焦点調節装置が作動し、上記レリーズボタンの全押しで露光装置が作動する一眼レフカメラであって、上記レリーズボタンが半押しされたから上記自動焦点調節装置の作動画終了する前に全押しされたときは、上記レンズ駆動手段を駆動しているときはレンズ駆動手段の駆動、メインミラーのアップ及び撮影レンズの絞りの絞り込みが終了したときに上記露光装置を作動させ、レンズ駆動手段を駆動しないときはメインミラーのアップ及び撮影レンズの絞りの絞り込みが終了したときに上記露光装置を作動させる制御手段を備えたことに特徴を有する。
【０００７】
より実際的には、上記自動焦点調節装置は、撮影レンズを介して得られる被写体像光によりデフォーカス量を求めるデフォーカス量測定手段と、そのデフォーカス量に基づいて撮影レンズの焦点調節レンズ群を合焦位置に移動させるレンズ駆動手段を含み、上記制御手段は、上記レリーズボタンが半押しされたときは、上記デフォーカス量測定手段を作動させてデフォーカス量を求め、上記デフォーカス量が第１の所定範囲内の場合は上記レンズ駆動手段を作動させずにレリーズボタンが全押しされるのを待ち、上記デフォーカス量が第１の所定範囲を超えている場合は上記レンズ駆動手段を作動させ、上記焦点調節レンズ群を合焦位置に移動させてレリーズボタンが全押しされるのを待つ構成とする。
【０００８】
好ましい実施形態において上記制御手段は、上記レリーズボタンが半押しされたときに求めたデフォーカス量が、第１の所定範囲を超え第２の所定範囲内の場合は上記レンズ駆動手段を作動させずにレリーズボタンが全押しされるのを待ち、第２の所定範囲を超えている場合は上記レンズ駆動手段を作動させて焦点調節レンズ群を合焦位置に移動させてからレリーズボタンが全押しされるのを待つ構成とする。
【０００９】
さらに上記制御手段は外部操作により選択可能な露光優先モードを含み、この露光優先モードが選択されたときに上記制御を実行する構成が好ましい。
前記第１の所定範囲は焦点深度の１／２以内とし、前記第２の所定範囲は焦点深度とすることが好ましい。
【発明の効果】
【００１０】
以上の通り本発明によれば、レリーズボタンが一気押しされたときは、実用的なピント状態を得ながら露光開始までの時間が短いので、即座に撮影したいという使用者の要望に対応し、シャッターチャンスを逃さなくて済む。
【図面の簡単な説明】
【００１１】
【図１】本発明を適用したＡＦ一眼レフカメラの主要構成を示したブロック図である。
【図２】同ＡＦ一眼レフカメラにおける、測光スイッチがオンしてＡＦ処理が終了した後にレリーズスイッチがオンした場合の通常撮影動作をタイミングチャートで示した図である。
【図３】同ＡＦ一眼レフカメラにおける、測光スイッチ及びレリーズスイッチが連続してオンした場合の通常撮影動作をタイミングチャートで示した図である。
【図４】同ＡＦ一眼レフカメラの露光優先モードにおいて、測光スイッチがオンした後、測光及びＡＦ処理が終了した後にレリーズスイッチがオンした場合の動作をタイミングチャートで示した図である。
【図５】同ＡＦ一眼レフカメラの露光優先モードにおいて、測光スイッチ及びレリーズスイッチが連続してオンした場合の動作をタイミングチャートで示した図である。
【図６】同ＡＦ一眼レフカメラにおけるデフォーカス量とレンズ駆動との関係に関する第１の態様を説明する図である。
【図７】同ＡＦ一眼レフカメラにおけるデフォーカス量とレンズ駆動との関係に関する第２の態様を説明する図である。
【発明を実施するための形態】
【００１２】
本発明の実施形態について、添付の図面を参照して詳細に説明する。
以下図面に基づいて本発明を説明する。図１は、本発明を適用したデジタル一眼レフカメラの主要構成を示したブロック図である。このデジタル一眼レフカメラは、カメラボディ１１と、このカメラボディ１１に着脱可能なＡＦ対応の撮影レンズ５１とを備えている。そしてカメラボディ１１は、いわゆるオートフォーカス（ＡＦ）装置を備えている。
【００１３】
撮影レンズ５１からカメラボディ１１内に入射した被写体光束は、大部分がメインミラー１３により、ファインダ光学系を構成するペンタプリズム１７に向かって反射され、ペンタプリズム１７で反射されてアイピースから射出するが、メインミラー１３で反射された反射光の一部が測光用ＩＣ１８の受光素子に入射する。一方、メインミラー１３のハーフミラー部１４に入射した被写体光束の一部はここを透過し、サブミラー１５で下方に反射されて、ＡＦセンサモジュール２１に入射する。
【００１４】
測光用ＩＣ１８は、受光量に応じて光電変換した電気信号を対数圧縮し、周辺部制御用回路２３を介して、メインＣＰＵ３１に測光信号として入力する。メインＣＰＵ３１は、測光信号及びＩＳＯ感度情報に基づいて所定の露出演算を実行し、露出用の適正シャッター速度（露光時間）及び絞り値を算出する。この露光時間及び絞り値は、撮影処理に利用される。つまり撮影処理では、ミラーモータ３０を駆動してメインミラー１３をアップさせ、絞り機構２７を駆動して撮影レンズ５１の絞りを設定絞り値まで絞り込み、露光機構（シャッター機構）２５を駆動してイメージセンサ４１に設定露光時間露光する。さらに周辺部制御用回路２３は、撮影処理に際し、モータドライブ回路２９を介してミラーモータ３０を駆動してメインミラー１３のダウン処理及びチャージ、並びに露光機構２５のチャージを行う。なお、露光機構２５は、この実施形態では上下走行方式のフォーカルプレーンシャッターである。絞り機構２７は、撮影レンズ５１の絞りに連動する絞り杆を駆動する絞りモータ及び絞りモータの駆動に連動してＥＥパルスを出力するエンコーダを備えている。撮影レンズ５１の絞り値は、このＥＥパルス数によって制御される。
【００１５】
ＡＦセンサモジュール２１は、いわゆるＴＴＬ位相差方式の測距センサであって、図示しないが、撮影画面内における複数の測距ゾーン内に含まれる被写体像を瞳分割する分割光学系と、二分割された被写体像をそれぞれ受光して積分（光電変換及びその電荷を蓄積）するＣＣＤセンサ２２を備えている。
【００１６】
メインＣＰＵ３１は、ＡＦセンサモジュール２１から出力された各焦点検出ゾーンに対応する一対の積分データに基づいて所定の演算により位相差、デフォーカス量を算出する。さらにデフォーカス量に基づいて、デフォーカスを０に、つまり合焦させるために必要なＡＦモータ３４の回転方向及び回転数（エンコーダ３６が出力するＡＦパルス数）を算出する。そしてメインＣＰＵ３１は、その回転方向及びＡＦパルス数に基づき、ＡＦモータドライブ回路３３を介してＡＦモータ３４を駆動する。この駆動に際してメインＣＰＵ３１は、ＡＦモータ３４の回転に連動してエンコーダ３６が出力するＡＦパルスを検知してカウントし、カウント値が上記パルス数に達したらＡＦモータ３４を停止させる。
【００１７】
ＡＦモータ３４は、その回転を、カメラボディ１１のマウント部に設けられたジョイントと撮影レンズ５１のマウント部に設けられたジョイントとの接続を介して撮影レンズ５１側に伝達する。そして、レンズ駆動ギヤブロック５５を介して焦点調節レンズ群５３を進退移動させる。
【００１８】
撮影レンズ５１には、焦点調節レンズ群５３を光軸方向に駆動するレンズ駆動ギヤブロック５５、撮影レンズ５１のマウント部に設けられていて、カメラボディ１１のジョイントと連結してＡＦモータ３４の回転をレンズ駆動ギヤブロック５５に伝達するレンズ側ジョイント、及びレンズＣＰＵ６１を備えている。
【００１９】
レンズＣＰＵ６１は、撮影レンズ５１、カメラボディ１１に設けられた電気接点群の接続を介してカメラボディ１１の周辺部制御用回路２３と接続されていて、この周辺部制御用回路２３を介してメインＣＰＵ３１との間で所定のデータ通信を実行する。
【００２０】
またメインＣＰＵ３１は、プログラム等をメモリーしたＲＯＭ３１ａ、演算用、制御用の所定のデータを一時的にメモリーするＲＡＭ３１ｂ、計時用の基準タイマー３１ｃ、ハードカウンタ３１ｄ及びＡ／Ｄ変換器３５ｅを内蔵し、外部メモリー手段としてのＥＥＰＲＯＭ３７が接続されている。このＥＥＰＲＯＭ３７には、カメラボディ１１特有の各種定数などがメモリーされている。
【００２１】
メインＣＰＵ３１には、自動焦点制御とマニュアル焦点制御とを切換える自動焦点スイッチＳＷＡＦ、レリーズボタン４０の半押しでオンする測光スイッチＳＷＳ及び全押しでオンするレリーズスイッチＳＷＲ、メインＣＰＵ３１や周辺機器等への電源をＯＮ／ＯＦＦするメインスイッチＳＷＭが接続されている。メインＣＰＵ３１は、設定されたＡＦ、露出、撮影などのモード、シャッター速度、絞り値などを表示パネル３９に表示する。表示パネル３９は、通常、カメラボディ１１の外面及びファインダ視野内の２か所に設けられた表示パネルを含む。なお、測光スイッチＳＷＳは、レリーズボタン４０が半押しから全押しされている間、オン状態を維持する。
【００２２】
このメインＣＰＵ３１は、カメラボディ及び撮影レンズの機能を総括的に制御する制御手段として機能する。さらにメインＣＰＵ３１は、ＣＣＤ２２とでデフォーカス量検出手段を構成し、ＡＦモータ３４を含む焦点調節レンズ駆動系とでレンズ駆動手段を構成し、これら全体として焦点調節装置を構成する。
【００２３】
さらにこのカメラボディ１１は、撮像素子としてイメージセンサ４１を備えている。このイメージセンサ４１は、撮影レンズ５１の予定焦点面、つまり露光機構２５のシャッター先幕、後幕の背後に配置されている。イメージセンサ４１は、いわゆるＣＣＤタイプ又はＣＭＯＳタイプのいずれでもよい。
【００２４】
イメージセンサ４１は、ＣＰＵ３１により、ＤＳＰ４５、ＡＦＥ４３を介して駆動制御される。また、イメージセンサ４１が撮像した画像信号は、ＡＦＥ（Analog Front End）４３によって増幅され、Ａ／Ｄ変換されて、ＤＳＰ４５により所定の処理が施され、デジタル画像信号としてメインＣＰＵ３７に出力される。また、ＤＳＰ４５により所定の処理が施された画像信号は、画像表示パネル４７に表示され、着脱自在の不揮発性メモリー４９に記録される。画像表示パネル４７は通常、液晶又は有機ＥＬ等のカラーパネルであって、カメラボディの背面に設けられている。
【００２５】
このＡＦ一眼レフカメラ１０は、測光スイッチＳＷＳがオンされるとＡＦ処理を開始する。ＡＦ処理では、先ずＡＦセンサモジュール２１が積分を始める。積分終了後、メインＣＰＵ３１は、その積分データを入力し、そのデータに基づいてデフォーカス量、駆動パルス数を算出し、この駆動パルス数に基づいてＡＦモータ３４を駆動する。なお、測光スイッチＳＷＳがオンしたときにＣＰＵ３１は、測光ＩＣ１８、周辺部制御用回路２３を介して入力した測光信号を使用してシャッター速度及び絞り値を設定する露出演算処理も実行する。
【００２６】
そうしてレリーズスイッチＳＷＲがオンされると、メインミラー１３が撮影位置にアップし、サブミラー１５がメインミラー１３の背面に密着して撮影光路が開放される。そうして露光機構２５が開くと、被写体像が、イメージセンサ４１上に形成される。被写体像はイメージセンサ４１によりアナログ画素信号に変換され、ＡＦＥ４３、ＤＳＰ４５により所定の処理が施され、画像表示パネル４７に表示され、不揮発性メモリー４９に記録される。
【００２７】
次に、このＡＦ一眼レフカメラ１０において、測光スイッチＳＷＳ、レリーズスイッチＳＷＲがオンされた場合の動作について、図２乃至４に示したタイミングチャート図及び図５及び図６に示したレンズの移動図を参照して説明する。この実施形態では、焦点調節を優先する通常露光モードと、露光を優先する露光優先モードを備えていて、図示しないが、十字キーボタン等によって選択可能な構成である。
【００２８】
図２は、測光スイッチＳＷＳがオンしたＡＦ処理が終了した後にレリーズスイッチＳＷＲがオンした場合の通常露光モードによる処理に関するタイミングチャートである。
測光スイッチＳＷＳがオンすると、ＣＣＤ２２を駆動してデフォーカス量を求め、デフォーカス量が０となる合焦位置に焦点調節レンズ群５３を移動すべくＡＦモータ３４を駆動する。ＡＦモータ３４の駆動が終了すると、再度ＣＣＤ２２を駆動してデフォーカス量を求め、合焦と判定するとその状態で待機する。
【００２９】
その後レリーズスイッチＳＷＲがオンすると、メインミラー１３の係止を解除してメインミラー１３をアップさせるとともに、絞りモータ２８を駆動して撮影レンズ５１の絞りを絞り込み、絞り込みに連動して出力されるＥＥパルスを検知し、所定数で絞り込みを停止する。さらに、レリーズスイッチＳＷＲがオンすると、図示しないが、露光機構２５に含まれる、シャッター先幕及び後幕を係止する先幕マグネット及び後幕マグネットがオンされて、先幕及び後幕が電磁力によって係止される。メインミラー１３アップが終了し、絞り込みが停止したときに先幕マグネットがオフされ、先幕が走行して露光が開始され、露光時間が経過したときに後幕マグネットがオフされて後幕が走行して露光が終了する。
【００３０】
図３は、測光スイッチＳＷＳ及びレリーズスイッチＳＷＲが連続してオンした場合、つまりレリーズボタン４０が一気押しされた場合の、通常露光モードのタイミングチャートである。この場合は、まず、ＣＣＤ２２を駆動してデフォーカス量を求め、デフォーカス量が０となる合焦位置に焦点調節レンズ群５３を移動すべくＡＦモータ３４を駆動する。ＡＦモータ３４の駆動が終了すると、再度ＣＣＤ２２を駆動してデフォーカス量を求める点までは図２の場合と同様であるが、ここで合焦と判定すると、直ちに露光処理に入る点が異なる。露光処理は、図２の場合と同様である。
【００３１】
図４は、本発明の特徴である露光優先モードにおいて、レリーズボタン４０が半押しされて測光、ＡＦ処理が終了した後に全押しされた場合のタイミングチャート、図５は、本発明の特徴である露光優先モードにおいて、レリーズボタン４０が一気押しされた場合のタイミングチャートである。この露光優先モードにおける動作について、さらに図６及び図７を参照して説明する。図６（Ａ）、（Ｂ）、（Ｃ）、図７（Ａ）、（Ｂ）、（Ｃ）は、測光スイッチＳＷＳがオンしたときの焦点調節レンズ群５３の位置、つまりデフォーカス量に応じたレンズ駆動処理を説明する図である。そうして図６はレリーズボタン４０が半押しされた状態、つまり測光スイッチＳＷＳのみオンしている状態であって、図７はレリーズボタン４０が一気押しされた状態、つまり測光スイッチＳＷＳ及びレリーズスイッチＳＷＲが連続してオンした状態である。
【００３２】
「測光、ＡＦ処理が終了した後にレリーズスイッチＳＷＲがＯＮ」
露光優先モードにおいて、測光スイッチＳＷＳのみがオンしている状態について、先ず図４及び図６を参照して説明する。
【００３３】
測光スイッチＳＷＳがオンすると、ＣＣＤ２２を駆動してデフォーカス量を求める。この実施形態では、デフォーカス量に応じて異なる処理を実行する。
(1)  デフォーカス量が第１の所定範囲Ａ内の場合は、ＡＦモータ３４を駆動せずに、つまり焦点調節レンズ群５３を移動させずに（図６（Ａ））、レリーズスイッチＳＷＲがオンするのを待つ。
(2)  デフォーカス量が第１の所定範囲Ａを越え、第２の所定範囲Ｂ内の場合は、ＡＦモータ３４を駆動し、焦点調節レンズ群５３を合焦位置まで移動させて（図６（Ｂ））、レリーズスイッチＳＷＲがオンするのを待つ。ただし、Ａ＜Ｂ、Ａ⊂Ｂである。
(3)  デフォーカス量が第２の所定値Ｂを越えている場合も、焦点調節レンズ群５３を合焦位置まで移動させて（図６（Ｃ））、レリーズスイッチＳＷＲがオンするのを待つ。
【００３４】
ＡＦ処理が終了した後にレリーズスイッチＳＷＲがオンされると、メインミラー１３の係止を解除してメインミラー１３をアップさせるとともに、絞りモータ２８を駆動して撮影レンズ５１を設定値まで絞り込み、先幕マグネット及び後幕マグネットをオンして先幕及び後幕を電磁力によって係止する。メインミラー１３のアップが終了し、絞り込みが終了したときに先幕マグネットをオフして先幕を走行させて露光を開始し、露光時間が経過したときに後幕マグネットをオフして後幕を走行させて露光を終了する。
【００３５】
「測光スイッチＳＷＳ及びレリーズスイッチＳＷＲ連続押し」
露光優先モードにおいて、レリーズボタン４０が一気押しされた場合、つまり測光スイッチＳＷＳ及びレリーズスイッチＳＷＲが連続してＯＮした場合は、以下の処理を実行する。測光スイッチＳＷＳがＯＮした後、測光、ＡＦ処理が終了する前に測光スイッチＳＷＳがＯＮした場合を同様である。先ず、測光スイッチＳＷＳのオンを受けて、ＣＣＤ２２を駆動してデフォーカス量を求め、デフォーカス量に応じてＡＦモータ３４の駆動を制御する。
【００３６】
さらにレリーズスイッチＳＷＲのオンを受けて、メインミラー１３の係止を解除してメインミラー１３をアップさせるとともに、絞りモータ２８を駆動して撮影レンズ５１を設定値まで絞り込み、先幕マグネット及び後幕マグネットをオンして先幕及び後幕を電磁力によって係止する。そうして、メインミラー１３アップが終了し、絞り込みが終了し、かつＡＦモータ３４の駆動が終了したときに露光処理実行する。つまり、先幕マグネットをオフして先幕を走行して露光が開始され、露光時間が経過したときに後幕マグネットがオフされて後幕が走行して露光が終了する。ＡＦモータ３４を駆動しない場合は、メインミラー１３アップ及び絞り込みが終了したときに露光を開始する。
【００３７】
この実施形態では、上記求めたデフォーカス量に応じて下記の動作を実行する。
(1)  デフォーカス量が第１の所定範囲Ａ内の場合は、焦点調節レンズ群５３を移動させない（図７（Ａ））。そうしてレリーズスイッチＳＷＲがＯＮしているとき又はＯＮすると、ミラーアップ及び絞り込みを実行し、これらが終了したときに、露光処理を実行する。
(2)  デフォーカス量が第１の所定範囲Ａを越え、第２の所定範囲Ｂ内の場合も、焦点調節レンズ群５３を移動させない（図７（Ｂ））。
そうしてレリーズスイッチＳＷＲがＯＮしているとき又はＯＮすると、ミラーアップ及び絞り込みを実行し、これらが終了したときに、露光処理を実行する。
【００３８】
(3)  デフォーカス量が第２の所定値Ｂを越えている場合は、ＡＦモータ３４を駆動して焦点調節レンズ群５３を合焦位置まで移動させる（図７（Ｃ））。そうしてレリーズスイッチＳＷＲがＯＮしているとき、又はＯＮすると、ミラーアップ及び絞り込みを実行し、これらが終了し、かつＡＦモータ３４の駆動（レンズ駆動）が終了したときに露光処理を実行する。このようにＡＦモータ３４の駆動終了に続いて露光が始まるので、タイムラグが短縮される。
なお、この場合のレンズ駆動は、デフォーカス量が第２の所定値Ｂ内、又は第１の所定値Ａ内になるまでとしてもよい。タイムラグを短縮しつつ、実用的なピント状態での撮影が可能になる。
【００３９】
以上のように本発明のＡＦ一眼レフカメラによれば、露光優先モードが選択されているときは、デフォーカス量が小さい場合、実用的な画像が得られる場合はレンズ駆動せずに露光を開始するので、レリーズボタン４０を一気押ししてから露光が開始されるまでの時間が短縮され、使用者が即座に撮影したい、という要望に応えることができる。デフォーカス量が大きい場合は、レンズ駆動してから露光を開始するので、ピントのあった画像を記録することができる。
【００４０】
第１の所定範囲Ａは、例えば、合焦と見なされる範囲、焦点深度の半分（１／２）以内とし、第２の所定範囲Ｂは、例えば、焦点深度以内とすることが好ましいが、以上の範囲外を設定してもよい。
また、撮影レンズ５３の焦点距離及び絞り値によって焦点深度は変動するので、第１、第２の所定範囲Ａ、Ｂは、焦点距離及び絞り値に基づいて変動させることが好ましい。
【符号の説明】
【００４１】
１０  ＡＦ一眼レフカメラ
１１  カメラボディ
１３  メインミラー
２１  ＡＦセンサモジュール
２３  周辺部制御用回路
２５  露光機構
２７  絞り機構
２８  絞りモータ
３０  ミラーモータ
３１  メインＣＰＵ
３４  ＡＦモータ
３９  表示パネル
４０  レリーズボタン
４１  イメージセンサ
４７  画像表示パネル
５１  撮影レンズ
５３  焦点調節レンズ群
５５  レンズ駆動ギヤブロック
【図１】
2010197601.tif 000003
【図２】
2010197601.tif 000004
【図３】
2010197601.tif 000005
【図４】
2010197601.tif 000006
【図５】
2010197601.tif 000007
【図６】
2010197601.tif 000008
【図７】
2010197601.tif 000009